(57)【特許請求の範囲】
【請求項１】
電線挿入孔と、端子板と、電線挿入孔から挿入した電線を端子板に圧接させるための押えばねと、押えばねによる電線の端子板への圧接を解除するための解除釦とを備え、解除釦を電線の挿入方向にスライド自在に設け、解除釦に上記電線挿入孔の内壁の周方向の一部を構成する凹溝部を形成した端子台装置において、ケースの外面部に解除釦に突設した操作部がスライド自在に嵌められた長孔を設け、操作部が押えばねのばね力により長孔の一端部側に押圧され、この操作部が押えばねのばね力により長孔の一端部側に押圧された状態で操作部と長孔の一端部との間に解除釦のスライド方向と交差する方向に細長い解除治具挿入隙間を形成し、解除治具にその掴み部の下端部から下方に解除治具挿入隙間に挿入自在な細巾の挿入部を設け、解除治具の挿入部の上方肩部にケースの外面及び操作部の外面に当接自在な当たり部を設けて成ることを特徴とする端子台装置。
【発明の詳細な説明】
【０００１】
【産業上の利用分野】
本発明は、薄型の端子台装置に関するものである。
【０００２】
【従来の技術】
従来から、電線挿入孔から挿入した電線を端子板に圧接させるための押えばねをケース内に内装し、押えばねによる電線の圧接を解除するための解除釦を設けたものが知られている。従来の端子台装置にあっては、電線の挿入方向と押えばねによる電線の解除をするための解除釦の移動方向とは直交する方向となっていた。このため、ケースは電線の挿入方向と直交する方向（つまりケースの厚み方向）において解除釦を移動させるための余裕を出すために必要な厚み方向の長さをケース内に確保する必要があり、このためケースの電線の挿入方向と直交する方向である厚み方向の厚みが厚く、ケースを薄型にすることができないという問題があった。
【０００３】
そこで、本発明者は、本発明に至る過程で、電線の挿入方向と押えばねによる電線の解除をするための解除釦の移動方向とを同一方向にすることを考えた。これだと、解除釦を移動させるための余裕を出すために必要な長さは電線挿入方向において確保すればよく、電線挿入方向と直交するケースの厚み方向を薄型にできることが判明した。ところが、この場合でも、電線挿入孔はボデイとカバーとで構成されるケースにのみ形成してあり、解除釦は電線の挿入の邪魔にならない位置、つまり電線挿入孔からずれた位置に配置されており、結果的にケースの電線挿入方向と直交する方向の厚みが厚くなってしまうという問題があった。
【０００４】
【発明が解決しようとする課題】
本発明は上記の従来例の問題点に鑑みて発明したのものであって、その主たる目的とするところは、電線挿入方向と直交する方向の厚みが薄い端子台装置を提供することにあり、また、他の目的とするところは、解除釦を電線挿入方向に正確且つスムーズにスライドできるようにすることにあり、また、他の目的とするところは、端子台装置をコンパクト化することにあり、また、他の目的とするところは、解除治具の回転操作により簡単に解除釦をスライドさせて押えばねによる電線の押圧を解除できると共に解除治具による解除作業を容易に行えるようにすることにある。
【０００５】
【課題を解決するための手段】
上記従来例の問題点を解決して本発明の目的を達成するため、本発明の端子台装置は、電線挿入孔１と、端子板２と、電線挿入孔１から挿入した電線を端子板２に圧接させるための押えばね３と、押えばね３による電線４の端子板２への圧接を解除するための解除釦５とを備え、解除釦５を電線４の挿入方向にスライド自在に設け、解除釦５に上記電線挿入孔１の内壁の周方向の一部を構成する凹溝部７を形成した端子台装置６において、ケース９の外面部に解除釦５に突設した操作部がスライド自在に嵌められた長孔１４を設け、操作部１５が押えばね３のばね力により長孔１４の一端部側に押圧され、この操作部１５が押えばね３のばね力により長孔１４の一端部側に押圧された状態で操作部１５と長孔の一端部との間に解除釦５のスライド方向と交差する方向に細長い解除治具挿入隙間１６を形成し、解除治具１７に解除治具挿入隙間１６に挿入自在な細巾の挿入部１８を設け、解除治具１７の挿入部の上方肩部にケース９の外面及び操作部１５の外面に当接自在な当たり部１９を設けて成ることを特徴とするものである。
【０００９】
【作用】
上記のような構成の本発明によれば、解除釦５を電線４の挿入方向にスライド自在に設けることで、解除釦５を電線４の挿入方向と直交する方向にスライドさせるものに比べてケース９の電線４の挿入方向と直交する方向の長さを短くできることになる。しかも、解除釦５に上記電線挿入孔１の内壁の周方向の一部を構成する凹溝部７を形成することで、解除釦５を電線挿入孔１を避けて配置する必要がなく、その分、ケース９の電線４の挿入方向と直交する方向（つまりケース９の厚み方向）の長さを更に短くできることになる。
【００１２】
さらに、ケース９の外面部に解除釦５に突設した操作部がスライド自在に嵌められた長孔１４を設け、操作部１５が押えばね３のばね力により長孔１４の一端部側に押圧され、この操作部１５が押えばね３のばね力により長孔１４の一端部側に押圧された状態で操作部１５と長孔の一端部との間に解除釦５のスライド方向と交差する方向に細長い解除治具挿入隙間１６を形成し、解除治具１７にその掴み部３８の下端部から下方に解除治具挿入隙間１６に挿入自在な細巾の挿入部１８を設けてあることで、解除治具１７の先端部の挿入部１８を解除治具挿入隙間１６に挿入して回転すると、操作部１５が長孔１４の一端部側から離れ、解除釦５をスライドさせることができるものであり、回転という簡単な方法で解除釦５を電線４の挿入方向にスライドできるものである。そして、解除治具１７の挿入部の上方肩部にケース９の外面及び操作部１５の外面に当接自在な当たり部１９を設けてあることで、解除治具１７の挿入部１８を解除治具挿入隙間１６に挿入した際に、当たり部１９がケース９の外面に当たって位置決めして倒れ防止を行い、また、解除治具１７を回転する際当たり部１９がケース９の外面及び操作部１５の外面に当接してガイドされることとなって解除治具１７の回転操作がスムーズに行えることになる。
【００１３】
【実施例】
以下本発明を添付図面に示す実施例に基づいて詳述する。図１乃至図１３には本発明の一実施例、すなわち端子台装置６として左右両側と前部との３箇所に電線挿入孔１を備えた２極２分岐形端子台装置の例が示してある。端子台装置６のケース９はボディ２０とカバー３１とに分割して構成してあり、内部に端子板２を内装してある。この実施例では端子板２はとして図８、図９に示すような略Ｔ字状をした第１端子板２ａと同じく略Ｔ字状をした第２端子板２ｂとを用いてあり、第１端子板２ａ及び第２端子板２ｂはいずれも両側がコ字状の端子部２２となった横片部材２３の中央部に前端部がコ字状の端子部２２となった縦片部材２４の後端部をかしめ固定して略Ｔ字状に構成してある。図８（ｃ）、図９（ｃ）において５０はかしめ部を示している。そして、第１端子板２ａ及び第２端子板２ｂに設けた各コ字状の端子部２２はボディ２０の端子部はめ込み凹部２５にはめ込んである。ここで、端子部はめ込み凹部２５はボディ２０内の両側部にそれぞれ一対（２個）ずつ配置してあり、また、ボディ２０内の前端部に一対（２個）設けてある。
【００１４】
各コ字状の端子部２２内には図３に示すように略ム字状をした押えばね３が内装してある。ここで、押えばね３は底片３ａの一端から電線抜け防止片３ｂを延出するとともに底片３ａの他端から電線押圧片３ｃを延出して構成してあり、底片３ａがコ字状の端子部２２の一側片２２ａに近接対向し、電線抜け防止片３ｂの先端部及び電線押圧片３ｃの先端部がコ字状の端子部２２の他側片２２ｂに近接対向するようにコ字状の端子部２２内に略ム字状をした押えばね３を内装するのである。
【００１５】
図６に示すように、ボディ２０の左右両側及び前部において２個で一対となった端子部はめ込み凹部２５間には電線４の挿入方向に長い２条のリブが設けてあって該一対のリブ間にスライド用溝部１１が設けてある。
解除釦５は図１１に示すようなもので、下面に突起１０が設けてあり、この突起１０を上記ボディ２０に設けたスライド用溝部１１にスライド自在にはめ込んであり、このことにより解除釦５は電線４の挿入方向にスライド自在となっている。
【００１６】
ボディ２０の左右両側端部及び前端部の各上面部には２個で一対となった各端子部はめ込み凹部２５に連通するように半円状の半孔部２６が設けてある。一方解除釦５の下面部には半円状の凹溝部７が形成してあり、半円状の凹溝部７と半円状の半孔部２６とが対向して図５に示すように電線挿入孔１が構成してある。したがって、本発明においては解除釦５の下面に設けた凹溝部７が電線挿入孔１の内壁の周方向の一部（実施例では半分）を構成していることになる。
【００１７】
解除釦５は中央部の本体部５ａの前部の両側に突部５ｂを設け、この突部５ｂの下面部に上記の凹溝部７が形成してある。そして、この突部５ｂの凹溝部７の後端部の溝底部を構成する部分が後方に突出してあって、押圧ばね押部８となっている。押圧ばね押部８の後端部は傾斜した電線抜け防止片３ｂに近接対向している。また、解除釦５の本体部５ａの上面部には操作部１５が突出している。
【００１８】
図７に示すように、カバー３１の下面部には端子板２の上部のボディ２０から突出した部分や解除釦５のボディ２０から突出した部分で操作部１５を除く部分を収納するための凹所３１が設けてあって、端子板２、解除釦５をボディ２０に組み込んだ状態でボディ２０にカバー３１を被せてねじなどで固着することで本発明の端子台装置６を構成するのであるが、この場合、カバー３１の凹所３１ａ内に端子板２の上部及び解除釦５の上部の操作部１５を除く部分が収納されることになる。
【００１９】
カバー３１の左右両端部の縁部及び前端部の縁部にはそれぞれ２個で一対となった半円状の半円孔部３２が設けてあり、ボディ２０の２個で一対となった半円状の半孔部２６の先端縁部と対向し、半円孔部３２と半孔部２６の先端縁部とで電線挿入孔１の開口縁部が構成される。そして、解除釦５の下面に設けた凹溝部７は上記半円孔部３２の後端部に対向しており、通常は凹溝部７の前端が上記半円孔部３２の後端部に近接しているが、解除釦５を電線４の挿入方向にスライドした場合、凹溝部７の前端が上記半円孔部３２の後端部から離れることになる。
【００２０】
カバー３１には上面部の両側部及び前部にそれぞれ電線４の挿入方向に長くなった長孔１４が設けてあり、この長孔１４にそれぞれ解除釦５の本体部５ａの上面部に突設した操作部１５がスライド自在にはめ込んである。ここで、操作部１５の上面はカバー３１の上面と面一となっている。操作部１５は解除釦５の押圧ばね押部８の後端部が傾斜した電線抜け防止片３ｂに近接対向しているため、通常は押えばね３のばね力により長孔１４の一端部側に片寄せられた状態となっている。この操作部１５が押えばね３のばね力により長孔１４の一端部側に片寄せられた状態で操作部１５と長孔１４の一端部との間に図２（ａ）に示すように解除釦５のスライド方向と交差する方向に細長い解除治具挿入隙間１６が形成されるものである。ここで、実施例において、解除釦５のスライド方向と交差する方向に細長い解除治具挿入隙間１６は中央部が少し巾が広くなるように長孔１４の端部の内壁を弧状面３５とし、また、操作部１５の弧状面３５に対向する面を略く字状をしたく字状面３６としてある。
【００２１】
また、左右両側と前部との３箇所に電線挿入孔１を備えた２極２分岐形端子台装置である本実施例においては、電線挿入孔１、端子板２、解除釦５等の配置位置が全体として略Ｔ字状に配置されるので、ケース９の前部の両側角部はいわばデッドスペースであり、この点に着目して本実施例においては左右両側と前部との３箇所に電線挿入孔１を備えた２極２分岐形端子台装置において、図２に示すようにケース９の前部の角部を面取りして面取り部４０としてあり、面取りした分２極２分岐形端子台装置の外形を小さくしてコンパクト化が図れるものである。
【００２２】
しかして、上記のような構成の端子台装置６は電線挿入孔１から電線４を挿入することで、電線４が略ム字状をした押えばね３とコ字状の端子部２２の側片２２ｂとの間に圧入される。この場合、略ム字状をした押えばね３の電線押圧片３ｃ及び電線抜け防止片３ｂにより電線４が端子部２２の側片２２ｂに押圧されるのであるが、この状態で電線４に引き抜きの力が作用しても電線抜け防止片３ｂの先端が電線４に食い込むような状態となっていて引き抜き方向に対して抵抗となり、電線４の引き抜きが防止されるのである。
【００２３】
一方、電線４を抜く場合には解除治具１７を用いて操作部１５を電線４の挿入方向にスライドさせることで解除釦５の押圧ばね押部８の後端部が傾斜した電線抜け防止片３ｂを押圧して電線抜け防止片３ｂを電線４から離れる方向に変形させるので、この状態で電線４を容易に引き抜くことができるのである。電線４を引き抜いた後は、解除治具１７を外すことで解除釦５は電線抜け防止片３ｂがばね力により元の状態に復元し、このばね力により押圧ばね押部８が上記と逆方向に押されて上記と逆方向に解除釦５がスライドさせられて元の状態に復元するものである。
【００２４】
ここで、本発明においては、マイナスドライバーなどを解除治具１７として用いて解除釦５のスライド方向と交差する方向に細長い解除治具挿入隙間１６にドライバーの先端を挿入して９０°回転することで操作部１５を電線４の挿入方向にスライドすることもできるが、図１２に示すような解除治具１７を用いるのが好ましい。
【００２５】
図１２に示す解除治具１７は全体が偏平状をしたもので、指で掴むための掴み部３８の下端部の中央部から下方に細巾長方形状の挿入部１８が形成してあり、この挿入部１８の挿入部の上方の両肩部が当たり部１９となっている。図中１７ａは滑り止めのための凹凸加工部である。そして、このような構成の解除治具１７は先端部の挿入部１８を図１３に示すように解除治具挿入隙間１６に挿入して９０°回転することで、挿入部１８の長手方向の端部により解除治具挿入隙間１６の弧状面３５とく字状面３６とを押しながら回転することとなり、この結果、く字状面３５は弧状面３５から離れ、つまり解除釦５が電線４の挿入方向にスライドするのである。ここで、挿入部１８を解除治具挿入隙間１６に挿入した場合、挿入部１８の上方の両肩部の当たり部１９がケース９の外面に当たって位置決めして解除治具１７の倒れ防止を行うようになっている。また、解除治具１７を回転する際も当たり部１９がケース９の外面及び操作部１５の外面に当接してガイドされるようになっていて解除治具１７の回転操作がスムーズに行えるようになっている。
【００２６】
ところで、本発明においては、解除釦５が電線４の挿入方向にスライド自在に設けてあるので、解除釦５を電線４の挿入方向と直交する方向にスライドさせるものに比べてケース９の電線４の挿入方向と直交する方向の長さを短くできるものであり、つまりケース９の厚みを薄くできるのであるが、更に、本発明においては、解除釦５に上記電線挿入孔１の内壁の周方向の一部（実施例では周方向の略半分）を構成する凹溝部７を形成してあるので、解除釦５を電線挿入孔１を避けて配置する必要がないものであり、この結果更にケース９の電線４の挿入方向と直交する方向（つまりケース９の厚み方向）の長さを更に短くできるものであり、例えばケース９の厚みを８ｍｍにすることが可能となり、薄型の端子台装置６を提供でき、例えば、床暖房パネルなどの内部であっても薄型の端子台装置６を配設できるものである。
【００２７】
図１４乃至図１８には本発明の他の実施例が示してある。この実施例の端子台装置６は端子台装置６が左右両側に電線挿入孔１を備えた２極中継用端子台装置の例が示してある。この実施例においても、電線挿入孔１が左右両側に設けてあるという点、端子板２が図１０に示すような両側がコ字状の端子部２２となった横片部材２３のみで構成してある点、及びケース９の中央部に搭載機器本体１２への固定用のねじを挿入する取付け孔１３が設けてある点を除けば、他の構成は図１乃至図１３に示す前述の実施例と同様であるので説明は省略する。ところで、従来の左右両側に電線挿入孔１を備えた２極中継用端子台装置においては取付け孔１３を有する突部をケース９の両側に突出していたので、端子台装置６の外形が大きくなっていたが、本実施例のようにケース９の中央部に搭載機器本体１２への固定用のねじを挿入する取付け孔１３が設けることで、端子台装置６の外形を小さくできるものである。
【００２８】
図１９には本発明の端子台装置６を搭載機器本体１２である床暖房パネルに取付けた例を示すものであり、図２０には配線図が示してある。図２０において１２ａは親床暖房パネル、１２ｂは子床暖房パネルであり、４１はコントローラ、４２は漏電ブレーカである。Ａはヒータ用端子台であって、上記実施例中２極２分岐形端子台装置が用いてあり、Ｂはセンサー用端子台であって、上記実施例中２極中継用端子台装置が用いてある。親床暖房パネル１２ａにはヒータ用端子台Ａとセンサー用端子台Ｂとが内装して取付けられ、また、子床暖房パネル１２ｂにはヒータ用端子台Ａが取付けられる。ここで、図１９には親床暖房パネル１２ａにはヒータ用端子台Ａとセンサー用端子台Ｂとが内装して取付けている例が示してある。図１９中４５は親床暖房パネル１２ａに設けた凹所であり、この凹所４５にヒータ用端子台Ａとセンサー用端子台Ｂとが内装され、取付け孔１３からねじを挿入して固着してある。ここで、ヒータ用端子台Ａとして用いる２極２分岐形端子台装置のケース９の前部の角部を面取りして面取り部４０としてあるので、施工時にせまい配線スペース内より端子台装置６をつまみ出す際指を差し込むスペースとして利用できるのは勿論、外形が小さくなったことで狭いスペース内でも収納性が良くなり、特に、センサー用端子台Ｂとして用いられる２極中継用端子台装置もケース９の中央部に取付け孔１３を設けることで小型化しているので、図１９のようにヒータ用端子台Ａ及びセンサー用端子台Ｂをコンパクトに収納できるものである。図中４７は電線４に取付ける絶縁ホルダーである（尚、図１９においては電線４の図示を省略している）。
【００２９】
【発明の効果】
本発明の請求項１記載の発明にあっては、上述のように、解除釦を電線の挿入方向にスライド自在に設けてあるので、解除釦を電線の挿入方向と直交する方向にスライドさせるものに比べてケースの電線の挿入方向と直交する方向の長さを短くできるはもちろん、解除釦に上記電線挿入孔の内壁の周方向の一部を構成する凹溝部を形成してあるので、解除釦を電線挿入孔を避けて配置する必要がなく、その分、ケースの電線の挿入方向と直交する方向（つまりケースの厚み方向）の長さを更に短くでき、この結果薄型の端子台装置を提供できるものである。
【００３３】
さらに、ケースの外面部に解除釦に突設した操作部がスライド自在に嵌められた長孔を設け、操作部が押えばねのばね力により長孔の一端部側に押圧され、この操作部が押えばねのばね力により長孔の一端部側に押圧された状態で操作部と長孔の一端部との間に解除釦のスライド方向と交差する方向に細長い解除治具挿入隙間を形成し、解除治具にその掴み部の下端部から下方に解除治具挿入隙間に挿入自在な細巾の挿入部を設けてあることで、解除治具の先端部の挿入部を解除治具挿入隙間に挿入して回転すると、操作部が長孔の一端部側から離れ、解除釦をスライドさせることができるものであり、回転という簡単な方法で解除釦を電線の挿入方向にスライドできるものである。そして、解除治具の挿入部の上方肩部にケースの外面及び操作部の外面に当接自在な当たり部を設けてあることで、解除治具の挿入部を解除治具挿入隙間に挿入した際に、当たり部がケースの外面に当たって位置決めして倒れ防止を行い、また、解除治具を回転する際当たり部がケースの外面及び操作部の外面に当接してガイドされることとなって解除治具の回転操作がスムーズに行えるものである。
【図面の簡単な説明】
【図１】本発明の一実施例の分解斜視図である。
【図２】（ａ）は同上の平面図であり、（ｂ）は正面図であり、（ｃ）は背面図であり、（ｄ）は側面図である。
【図３】同上のケースを外した状態の平面図である。
【図４】（ａ）は同上の一部省略平面図であり、（ｂ）は同上の正面断面図であり、（ｃ）は同上の側面断面図である。
【図５】同上の要部斜視図である。
【図６】同上に用いるボディを示し、（ａ）は平面図であり、（ｂ）は側面図であり、（ｃ）は正面図であり、（ｄ）は正面断面図であり、（ｅ）は側面断面図であり、（ｆ）は底面図である。
【図７】同上に用いるカバーを示し、（ａ）は平面図であり、（ｂ）は側面図であり、（ｃ）は正面図であり、（ｄ）は正面断面図であり、（ｅ）は側面断面図であり、（ｆ）は底面図である。
【図８】同上に用いる第１端子板を示し、（ａ）は平面図であり、（ｂ）は側面図であり、（ｃ）はかしめ部分を示している。
【図９】同上に用いる第２端子板を示し、（ａ）は平面図であり、（ｂ）は側面図であり、（ｃ）はかしめ部分を示している。
【図１０】同上に用いる横片部材を示し、（ａ）は平面図であり、（ｂ）は背面図でり、（ｃ）は側面図である。
【図１１】同上に用いる解除釦を示し、（ａ）は平面図であり、（ｂ）は側面図であり、（ｃ）は断面図であり、（ｄ）は背面図であり、（ｅ）は正面図であり、（ｆ）は底面図である。
【図１２】同上に用いる解除治具を示し、（ａ）は正面図であり、（ｂ）は側面図である。
【図１３】同上の解除治具を用いて解除釦を操作している状態の説明図である。
【図１４】本発明の他の実施例の分解斜視図である。
【図１５】（ａ）は同上のカバーを外した状態の平面図であり、（ｂ）は全体側面図であり、（ｃ）は一部破断した正面図である。
【図１６】（ａ）は同上の一部省略平面図であり、（ｂ）は同上の正面断面図であり、（ｃ）は同上の側面断面図である。
【図１７】同上に用いるボディを示し、（ａ）は平面図であり、（ｂ）は側面図であり、（ｃ）は正面図であり、（ｄ）は正面断面図であり、（ｅ）は側面断面図であり、（ｆ）は底面図である。
【図１８】同上に用いるカバーを示し、（ａ）は平面図であり、（ｂ）は側面図であり、（ｃ）は正面図であり、（ｄ）は正面断面図であり、（ｅ）は側面断面図であり、（ｆ）は底面図である。
【図１９】本発明の端子台装置の使用例を示す説明のための平面図である。
【図２０】同上の配線図である。
【符号の説明】
１  電線挿入孔
２  端子板
３  押えばね
４  電線
５  解除釦
６  端子台装置
７  凹溝部
８  押圧ばね押部
９  ケース
１０  突起
１１  スライド用溝部
１２  搭載機器本体
１３  取付け孔
１４  長孔
１５  操作部
１６  解除治具挿入隙間
１７  解除治具
１８  挿入部
１９  当たり部
【図１】
0003541444.tif 000002
【図２】
0003541444.tif 000003
【図３】
0003541444.tif 000004
【図４】
0003541444.tif 000005
【図５】
0003541444.tif 000006
【図６】
0003541444.tif 000007
【図７】
0003541444.tif 000008
【図８】
0003541444.tif 000009
【図９】
0003541444.tif 000010
【図１０】
0003541444.tif 000011
【図１１】
0003541444.tif 000012
【図１２】
0003541444.tif 000013
【図１３】
0003541444.tif 000014
【図１４】
0003541444.tif 000015
【図１５】
0003541444.tif 000016
【図１６】
0003541444.tif 000017
【図１７】
0003541444.tif 000018
【図１８】
0003541444.tif 000019
【図１９】
0003541444.tif 000020
【図２０】
0003541444.tif 000021